(57)【特許請求の範囲】
【請求項１】
靴（１）において、後方のかかと領域（６）から中足領域（７）を経由して前方のふくらみ領域としての足指領域（８）にまで及ぶ靴底（２）をそなえ、同靴底（２）は靴底本体（１０）と同靴底本体（１０）の下側に設けられた靴底裏張り（１１）とをそなえるとともに、上記中足領域（７）からかかと領域（６）まで延在する切欠き（１３）をそなえていて、同切欠き（１３）は上記の靴底本体（１０）と靴底裏張り（１１）との間に設けられて柔軟な可撓性材料からなる材料要素（２５）をそなえており、同切欠き（１３）に属する上記靴底裏張り（１１）の後方部分は、同切欠き（１３）の上記中足領域（７）に向けた末端領域（１３ａ）における方向転換軸（２０）を中心として回動可能な方向転換要素（１８）を構成し、上記かかと領域（６）において上記の靴底本体（１０）と切欠き（１３）との間に圧力分散部分（１６）が設けられて、同圧力分散部分（１６）の上面（１７）の上方で同上面（１７）に沿うように金属またはプラスチックからなる補強板（２９）が、上記靴底本体（１０）の内部に設けられていることを特徴とする、靴。
【請求項２】
靴底本体（１０）の切り欠き（１３）に属する領域が、方向転換要素（１８）の方向転換運動を限定するための当接面（１５）を形成していることを特徴とする請求項１に記載の靴。
【請求項３】
靴底本体（１０）に、当接面（１５）から靴底本体（１０）の外部へ通じる少なくとも１つの穴（３２）が設けられていることを特徴とする請求項２に記載の靴。
【請求項４】
少なくとも１つの穴（３２）の中に、切り欠き（１３）から空気が出るのを制限する少なくとも１つの弁（３３）が配置されていることを特徴とする請求項３に記載の靴。
【請求項５】
方向転換軸（２０）が靴（１）の長さの中央とかかと領域（６）との間に配置されており、かかと領域（６）が靴底（１）の長さのほぼ３分の１にわたりのびていることを特徴とする請求項１〜４のいずれか１つに記載の靴。
【請求項６】
方向転換軸（２０）が靴底裏張り（１１）の平面内にあることを特徴とする請求項１〜５のいずれか１つに記載の靴。
【請求項７】
方向転換軸（２０）が走行方向に対して実質的に垂直に方向づけられていることを特徴とする請求項１〜６のいずれか１つに記載の靴。
【請求項８】
靴底裏張り（１１）が方向転換軸（２０）の領域において屈曲が容易なように構成されていることを特徴とする請求項１〜７のいずれか１つに記載の靴。
【請求項９】
靴底裏張り（１１）が方向転換軸（２０）の領域において厚さを逓減されていることを特徴とする請求項１〜８のいずれか１つに記載の靴。
【請求項１０】
靴底裏張り（１１）が方向転換軸（２０）の領域において少なくとも１つのスリットを有していることを特徴とする請求項１〜９のいずれか１つに記載の靴。
【請求項１１】
切り欠き（１３）が、約１０°〜約３０°の範囲内にある方向転換角（β）を規定していることを特徴とする請求項１〜１０のいずれか１つに記載の靴。
【請求項１２】
方向転換角（β）が約１５°〜約２０°の範囲内にあることを特徴とする請求項１１に記載の靴。
【請求項１３】
切り欠き（１３）が、靴の長さ方向断面において、かかと領域（６）へ向けて拡大していくように構成されていることを特徴とする請求項１〜１２のいずれか１つに記載の靴。
【請求項１４】
切り欠き（１３）がほぼくさび状に構成されていることを特徴とする請求項１〜１３のいずれか１つに記載の靴。
【請求項１５】
切り欠き（１３）がほぼレンズ状に、またはほぼ円弧状に構成されていることを特徴とする請求項１〜１３のいずれか１つに記載の靴。
【請求項１６】
靴底裏張り（１１）が形態安定的におよび／または不撓性に構成されていることを特徴とする請求項１〜１５のいずれか１つに記載の靴。
【請求項１７】
靴底裏張り（１１）が繊維で強化されていることを特徴とする請求項１〜１６のいずれか１つに記載の靴。
【請求項１８】
靴底裏張り（１１）が一体に構成されていることを特徴とする請求項１〜１７のいずれか１つに記載の靴。
【請求項１９】
材料要素（２５）が開放気孔性発泡プラスチックであることを特徴とする請求項１〜１８のいずれか１つに記載の靴。
【請求項２０】
材料要素（２５）が外側を被覆されていることを特徴とする請求項１〜１９のいずれか１つに記載の靴。
【請求項２１】
材料要素（２５）が靴底裏張り（１１）の少なくとも一部によって被覆されていることを特徴とする請求項２０に記載の靴。
【請求項２２】
靴底裏張り（１１）が靴底本体（１０）に向かって側面を上向きに引き伸ばされていることを特徴とする請求項２１に記載の靴。
【請求項２３】
切り欠き（１３）が空気蛇腹（３１）によって規定されていることを特徴とする請求項１〜２２のいずれか１つに記載の靴。
【請求項２４】
補強板（２９）が、靴（１）の長さのほぼ半分のところからかかと領域（６）へ向けてのびていることを特徴とする請求項１〜２３のいずれか１つに記載の靴。
【請求項２５】
補強板（２９）が、靴（１）の横方向に、靴（１）の幅の約５分の３ないし約５分の４にわたってのびていることを特徴とする請求項１〜２４のいずれか１つに記載の靴。
【請求項２６】
上記プラスチックが繊維で強化されていることを特徴とする請求項１〜２５のいずれか１つに記載の靴。
【請求項２７】
補強板（２９）の湾曲が圧力分散部分（１６）の湾曲に適合していることを特徴とする請求項１〜２６のいずれか１つに記載の靴。
【請求項２８】
靴底（２）が、ふくらみ領域ないしは足指領域（８）において、その上面と裏面との間で約８°〜約２０°の範囲内の角度（α）をなしていることを特徴とする請求項１〜２７のいずれか１つに記載の靴。
【発明の詳細な説明】
本発明は靴に関するものである。
靴は靴底および靴底の上にのっている足を包み込む上方材からなっている。靴底はしばしば、ランナーが走っているときにその足ないしは全身に加わる負荷を軽減せんとするための緩衝手段を有している。既知の緩衝手段は、たとえば、エアクッションやゲル充填中空空間である。
多数の緩衝手段を備えた靴が既知である（ＥＰ０６９５５１４Ａ１）。この靴は、かかと領域、中足領域およびふくらみ領域に、横向きにのびる多くの穴を有しており、これらの穴がクッションとして働く。これらの穴は種々の形態および寸法に構成され、それらに応じて硬いまたは柔らかい緩衝効果を有する。一実施形態においては、靴底に、後端から、側面の開いた切り欠きが施されていて、靴底の裏面領域が後方へ拘束なく突き出ている板状部を形成するようになっている。かかる靴は、かかと領域において、きわめて柔軟な緩衝特性を有している。
練習目的のために平地での走行を困難にしたトレーニングシューズ用の靴底も既知である（ＤＥ９４１３４９６Ｕ１）。この靴底は、かかとに属する領域に切り欠きが設けられていて、靴の使用者は実質的にふくらみの領域のみで歩くことができるようになっている。これにより、傾斜が１５°程度の登山の際、階段を上がる際などに、効果を得ようとしている。つま先（足指）歩きを助長するかかる靴は、健康的に見て不適当である。とくにつま先歩きの際には、足ないしは靴が脚をのばした状態で着地し、衝撃負荷が膝関節および股関節ならびに脊柱に直接伝達されるからである。
既知の靴にかかわる技術水準の上記の欠点および不十分さから出発した本発明の課題は、走行・走行時に生じる衝撃負荷が膝関節および股関節ならびに脊柱に伝達されないかまたはきわめてわずかにしか伝達されない靴を提供することである。
この課題は、
−  靴底本体および該靴底本体の裏面に配置された靴底裏張りから構成された、後方のかかと領域から中足領域を経由して前方のふくらみ領域ないしは足指領域に及ぶ靴底および
−  該靴底本体と該靴底裏張りとの間に設けられ、ほぼ中足領域からかかと領域に及ぶ切り欠きを有しており、
該切り欠きに属する靴底裏張り領域が、中足領域向きの切り欠き末端領域に配置された方向転換（旋回）軸を中心として方向転換可能に構成された方向転換要素を形成している
靴によって解決される。
本発明の靴は、靴底本体と靴底裏張とから構成された靴底を有しており、靴底本体と靴底裏張りとの間に、ほぼ中足領域からかかと領域に及ぶ切り欠きが設けられており、靴底裏張りの切り欠きに属する領域が着地時に方向転換軸を中心として上向きに方向転換され、その結果、靴がきわめてソフトに着地するようになっている。
方向転換軸の領域で靴が着地するとき、靴のふくらみ領域ないしは足指領域は方向転換軸を軸として地面に対して傾斜する。これにより足および下腿部がやや前方へ移動させられ、それにより膝が自動的に容易に曲げられる。膝の曲げられた脚が衝撃負荷を脚の骨格およびそれらを取り囲む筋肉によって吸収するので、衝撃負荷が関節ないしは脊柱に伝達されることはない。
従って、本発明の靴は円滑化効果、すなわち着地の間の前進をもたらし、それにより敏感な関節ないしは脊柱に及ぼされる衝撃負荷が実質的に軽減される。
立っている状態においても、この靴をはいている者は、治療上の基本的姿勢、すなわち膝を曲げた姿勢を強制され、これにより立っているときでも脊柱への負担が軽減される。
このように、本発明は、従来の靴では、費用・労力のかかる緩衝要素にもかかわらず、脚を伸ばした状態で足ないしは靴を着地させる可能性があるので、衝撃負担が直接に関節および脊柱に伝達されるという認識に基づいている。
本発明の好ましい構成形態は、従属請求項において述べている通りである。
以下、図１〜６に関連して例示的に概念的に説明した４つの実施形態により、本発明のさらなる態様、特徴および利点をさらに詳しく説明する。
図１は、本発明に従った靴の第１の実施形態の側面図である。
図２は、着地ないしは発進の際のかかと領域に負荷がかかっている間の図１の靴の側面図である。
図３は、本発明に従った靴の第２の実施形態の側面図である。
図４は、本発明に従った靴の第３の実施形態の側面図である。
図５は、本発明に従った靴の第４の実施形態の側面図である。
図６は、着地ないしは発進の際のかかと領域に負荷がかかっている間の図５の靴の側面図である。
図１〜６において、同じ参照番号は、本発明の靴の同一または類似の構成要素を表している。
本発明の靴１は、靴底２およびその上に配置されて、ランナーの足（図１〜６には示されていない）を包み込む上方材３を有している。上方材３は靴ひも、面ファスナーあるいはそれに類似のものによって閉鎖することができるが、また、開口部４を有していて、そこを通って足のくるぶし領域が上向きにのびることとなる。
靴底２は、後方のかかと領域６から中足領域７を経由して前方のふくらみ領域ないしは足指領域８へとのびていて、これらの領域６、７、８はそれぞれ靴１の約３分の１ずつにわたっている。
靴底２は、かさ高い靴底本体１０とこれの裏面に設けられた靴底裏張り１１とから構成されている。靴底本体１０は、たとえばポリエステルウレタン（ＰＵ）フォームなどの緩衝性の良好な材料からなっており、靴底裏張り１１は、たとえば硬質ゴムなどの、好ましくは裏面に溝（刻み目）のついた、耐摩耗性材料からなっている。
全体としての靴底２は、ふくらみ領域ないしは足指領域８からかかと領域６へ向けて厚みが増しており、側面から見れば、靴底２はくさび形を形成している。靴底の上面は、靴底の裏面と角度αをなしていて、この角度は約８°〜約２０°の範囲内にある。
靴底本体１０と靴底裏張り１１との間には、中足領域７からかかと領域６へ向けてくさび状に広くなっていく切り欠き１３が設けられている。靴底本体１０は切り欠き１３と境を接して、当接面１５を形成している。
靴底裏張り１１は、ふくらみ領域ないしは足指領域８の方を向いている切り欠き１３の頂点１３ａに接する後方では束縛されておらず、靴底裏張り１１のこの固定されていない領域は方向転換要素１８を形成しており、この要素は、切り欠きの頂点１３ａに接するところの方向転換要素１８と残余の靴底裏張り部分１１との結合領域を軸として、靴底本体１０の当接面１５へ向かって上向きに方向転換可能である。かくして、靴底裏張り１１を通って切り欠きの頂点１３ａに接して横方向に方向転換軸２０が走ることとなり、これを軸として方向転換要素１８が方向転換可能に配置されることとなる。
当接面１５と方向転換要素１８との間の方向転換角度βは、約１０°ないし約３０°の範囲内、とりわけ約１５°ないし約２０°の範囲内にある。切り欠き１３の頂点１３ａは、従って方向転換軸２０は、靴１の長さの半分のところと靴１の長さのほぼ３分の１にわたってのびるかかと領域６との間に配置される。
靴底裏張り１１は、とりわけ方向転換軸２０および方向転換要素１８の領域において、かなりの形態安定性および／または曲げ強さを有し、繊維で強化されており、そのため、靴底裏張り１１は著しい固有不撓性を示す。
図２からわかるように、走行時、靴１は、全体としての靴底２のくさび形のために、地面への着地の際にその靴底裏張り１１がかかと領域６において、従ってその方向転換要素１８において、地面２２に接触する。このとき、靴底裏張り１１の方向転換要素１８は、方向転換軸２０を軸として当接面１５に対して押しつけられる。
方向転換要素１８のこの方向転換運動は、靴底裏張り１１のかなりの形態安定性にもかかわらず、靴１の地面２２へのきわめてしなやかな軟着地を生じさせる。靴底裏張り１１がもとへ戻る力は、靴１の指定のランナー体重（たとえば６５ｋｇ〜７５ｋｇ）の高々３０％で、なるべくはわずか１０％で、方向転換要素１８が当接面１５へ押しつけられるのに十分であるように、選択する。
方向転換要素１８が当接面１５に当接すると（図２参照）、方向転換軸２０からふくらみ領域ないしは足指領域８へとのびている靴底２ないしは靴底裏張り１１の領域は、地面２２に対して方向転換角度βだけ前方の上方へ傾く。方向転換要素１８が屈曲する際には、靴底裏張り１１は方向転換軸２０の領域で１８０°に近い鈍角を呈する。
方向転換要素１８が当接面１５に当接すると、かかと領域６における軟着地過程が終了し、ランナーの足が靴底２に及ぼす荷重が靴底２の全長にわたってほぼ一様に分散される。このような状態を経て、かつランナーの走行方向の運動量により、靴１は方向転換軸２０を軸として前方へ傾き、その靴底裏張り１１の前方領域が地面２２にのる。
この靴１が傾くことにより、ランナーの足および下腿部が走行方向に前方へ向けて若干移動するように作用し、これにより、下腿部と大腿部との間で膝を曲げることが容易になる。足ないしは靴底２への極大負荷は、靴１が傾いたのちに、ないしはランナーの膝が曲げられたのちにはじめて生じるので、地面２２を踏むことによって生じた反動がすでに膝の曲げられている脚に作用し、脚は、その骨格および筋肉によって膝関節のまわりで弾力的に柔軟にその衝撃負荷を無理なく吸収することができる。
本発明の靴１は、それゆえ、走行時の足を自動的に前進させ、それにより、従来の靴と比較して、衝撃負荷の人体への実質的により無理のない伝達がもたらされる。
本発明の靴の第２の実施形態を図３に示す。この靴１は、実質的には先に記述した靴１に相当している；従って、同じまたは類似の構成要素には同じ参照記号を与えている。
図３の靴１は、くさび状切り欠き１３中に、開放気孔質フォーム材料で形成されたくさび材２５の形の材料要素を有している。このくさび材２５は、靴底本体１０の当接面１５ならびに方向転換要素１８に接着結合によって取り付けられている。
靴底裏張り１１は、方向転換軸２０の領域において、スリット２７によって分割されている。スリットのない実施形態も本発明の範囲に属することは当然である（たとえば図５および６に示されている本発明の第４の実施形態参照）。
靴底裏張り１１は、たとえば厚さの逓減によって、方向転換軸２０の領域において曲がりやすいように構成されているのが好適である。この靴１の実施形態にあっては、靴１のかかと領域６が地面２２上にある間、方向転換要素１８のもとへ戻ろうとする力ができる限りくさび材２５のみによって適用されて、靴１の地面２２へのできる限りの軟着地が確保されるという利点があるからである。
靴底本体１０には、靴底１の長さのほぼ半分のところから後方のかかと領域６までのびる補強板２９が挿入されている。補強板２９は、金属板または繊維強化プラスチック板からなり、圧力分散部分１６の上方に距離をおいて配置されており、補強板２９は圧力分散部分１６の湾曲に合わせたものとなっている。補強板２９は、横方向には、靴１の幅の約５分の３ないし５分の４にわたっていて、方向転換要素１８が当接面１５へ向けて押されている間、靴底本体１０がかかとによって反らされないことを保証している。
本発明の第３の実施形態を図４に示す。この靴１は、前記の靴１と実質的に同じ構成をもっている；従って、同じまたは類似の構成要素には同じ参照番号を与えている。
当接面１５と方向転換要素１８との間のくさび状切り欠きは、空気蛇腹（ベロー）３１によって囲まれている。靴底本体１０には、一端が当接面１５で口を開き、他端が靴底本体１０の外側に通じる２つの穴３２が設けられている。両方の穴３２の各々には、それぞれ、空気が空気蛇腹３１から外部へ出るのを制限する弁３３がはめ込まれていて、そのため、方向転換要素１８が当接面１５へ向けて押しつけられたときに、方向転換要素１８が方向転換運動をするときの空気の流出が制限されるため、相対的に柔軟な抵抗を受けることとなる。
方向転換要素１８を当接面１５へ向けて押しつけている圧力が取り除かれたときには、方向転換要素１８は再び方向転換して最初の位置へと戻り、その結果、残りの靴底裏張り１１が直線状にのびる。このとき、弁３３が開き、空気蛇腹３１への速やかな空気流入が可能となる。
靴底裏張り１１の方向転換要素１８は、靴底裏張り１１の残余の領域と一体に構成されていて、ある程度の形態安定性ないしは不撓性を有するので、空気蛇腹３１の圧縮ののち自動的に方向転換して最初の位置へと戻る。
図５の第４の実施形態は、実質的に図３の第２の実施形態に対応し、相違しているのは、切り欠き１３がくさび状ではなく、円弧状に構成されていて、開放気孔性プラスチックからなる材料要素２５が充填されている点だけである。
ここでは、本発明の重要な特徴に従った靴底２は、側面がせり出している。すなわち、プラスチックの芯の外側を保護的に覆っていて、蛇腹様に容易に圧縮できるゴム製側壁の形のきわめて薄い側面被覆を備えている。
すなわち、本発明の場合、前進時には切り欠き１３ないしは材料要素２５による充填体が方向転換軸２０を介してなんらの弾性作用をも及ぼさず、靴底裏張り１１が靴１の硬質で不撓性の領域に当接することとなるまでは実際上無力であるというようにして、切り欠き１３の作用が発揮されることとなる。
前記の４つの実施形態のいずれかに従った靴１は、走行時に地面上での靴１ないしは足の前進が自動的に引き起こされることが特徴である。これは、靴底本体１０と靴底裏張り１１との間のくさび状切り欠き１３によって遂行される。かかと領域６に負荷がかかったときに靴底裏張り１１が方向転換要素１８を利用して上向きにたわみ、靴底２に、方向転換軸２０の領域に頂点をもつ鈍角が弱い弾力性をもって生じるからである。
この鈍角を軸として靴１が前方へ倒れ、それによりランナーの膝が曲げられ、ランナーの衝撃負荷が曲げられた膝のところで吸収される。衝撃負荷は敏感な関節および脊柱には伝達されず、骨格および対応する筋肉によって吸収される。
本発明は上に説明した４つの実施形態に限定されるものではない；当業者ならば、本発明の変形を容易に見出すことができる。たとえば、靴底本体１０および靴底裏張り１１を一体におよび／または合体構造として構成する実施形態も、本発明の範囲に含まれるものである。
【図１】
0003753745.tif 000002
【図２】
0003753745.tif 000003
【図３】
0003753745.tif 000004
【図４】
0003753745.tif 000005
【図５】
0003753745.tif 000006
【図６】
0003753745.tif 000007